(57)【要約】【課題】電子メール通信サービスを行うセンターからのコールバックによるメール回収指示の通知を伴う呼び出しに応じて、センターへ自動的にコールバックし、メールを受信する通信端末装置において、前記コールバックのタイムアウトを極力避けることができるようにする。【解決手段】着信（呼び出し）があり（ステップＳ３１）、そのときにセンターからのコールバックによるメール回収指示の通知を意味する発信者電話番号情報が検出され（Ｓ３２）、それに含まれる電話番号が予め登録されたセンターの番号と一致したら（Ｓ３３）、センターからの付加情報を保存してセンターへのコールバックの発信事象の情報を生成し（Ｓ３４）、メモリ上に設定された発信待ち行列の先頭に挿入する（Ｓ３５）。その後の発信処理で発信待ち行列の先頭の発信事象から発信を行う。【選択図】　　　　図３
2004120446.tif 000002
【特許請求の範囲】
【請求項１】
通信網を介して電子メール通信とそれ以外の所定のデータ通信を行う通信端末装置であって、電子メール通信サービスを行うセンターからのコールバックによる電子メール回収指示の通知を伴う呼び出しに応じて、前記センターへ自動的にコールバックし、電子メールを受信する通信端末装置において、前記センターからコールバックによる電子メール回収指示の通知を伴う呼び出しがあったとき、前記センター以外への発信事象が待機状態にあった場合、前記センターへのコールバックの発信を優先して行うように制御する制御手段を有することを特徴とする通信端末装置。
【請求項２】
待機状態にある発信事象の情報の行列を記憶する記憶手段を有し、
前記制御手段は、前記センターからコールバックによる電子メール回収指示の通知を伴う呼び出しがあったとき、前記センターへのコールバックの発信事象の情報を生成して前記行列の先頭に挿入し、その後の発信処理において、前記行列の先頭の発信事象から発信を行うように制御することを特徴とする請求項１に記載の通信端末装置。
【請求項３】
それぞれ待機状態にある発信事象の情報の行列であって優先度が異なる複数の行列を記憶する記憶手段を有し、
前記制御手段は、前記センターからコールバックによる電子メール回収指示の通知を伴う呼び出しがあったとき、前記センターへのコールバックの発信事象の情報を生成して前記複数の行列の内で最も優先度が高い行列に投入し、その後の発信処理において、前記最も優先度が高い行列の先頭の発信事象から発信を行なうように制御することを特徴とする請求項１に記載の通信端末装置。
【請求項４】
待機状態にある前記センター以外への発信事象の情報の行列を記憶する第１の記憶手段と、
前記センターへの発信事象の情報を記憶する第２の記憶手段を有し、
前記制御手段は、前記センターからコールバックによる電子メール回収指示の通知を伴う呼び出しがあったとき、前記センターへのコールバックの発信事象の情報を生成して前記第２の記憶手段に格納し、その後の発信処理において、前記第２の記憶手段に前記センターへのコールバックの発信事象の情報が格納されていれば、該発信事象の発信を行なうように制御することを特徴とする請求項１に記載の通信端末装置。
【請求項５】
通信網を介して電子メール通信とそれ以外の所定のデータ通信を行う通信端末装置であって、電子メール通信サービスを行うセンターからのコールバックによる電子メール回収指示の通知を伴う呼び出しに応じて、前記センターへ自動的にコールバックし、電子メールを受信する通信端末装置の通信制御方法において、
前記センターからコールバックによる電子メール回収指示の通知を伴う呼び出しがあったとき、前記センター以外への発信事象が待機状態にあった場合、前記センターへのコールバックの発信を優先して行うように制御することを特徴とする通信制御方法。
【請求項６】
待機状態にある発信事象の情報の行列を記憶する記憶手段を用い、
前記センターからコールバックによる電子メール回収指示の通知を伴う呼び出しがあったとき、前記センターへのコールバックの発信事象の情報を生成して前記行列の先頭に挿入し、その後の発信処理において、前記行列の先頭の発信事象から発信を行うように制御することを特徴とする請求項５に記載の通信制御方法。
【請求項７】
それぞれ待機状態にある発信事象の情報の行列であって優先度が異なる複数の行列を記憶する記憶手段を用い、
前記センターからコールバックによる電子メール回収指示の通知を伴う呼び出しがあったとき、前記センターへのコールバックの発信事象の情報を生成して前記複数の行列の内で最も優先度が高い行列に投入し、その後の発信処理において、前記最も優先度が高い行列の先頭の発信事象から発信を行なうように制御することを特徴とする請求項５に記載の通信制御方法。
【請求項８】
待機状態にある前記センター以外への発信事象の情報の行列を記憶する第１の記憶手段と、
前記センターへの発信事象の情報を記憶する第２の記憶手段を用い、
前記センターからコールバックによる電子メール回収指示の通知を伴う呼び出しがあったとき、前記センターへのコールバックの発信事象の情報を生成して前記第２の記憶手段に格納し、その後の発信処理において、前記第２の記憶手段に前記センターへのコールバックの発信事象の情報が格納されていれば、該発信事象の発信を行なうように制御することを特徴とする請求項５に記載の通信制御方法。
【請求項９】
通信網を介して電子メール通信とそれ以外の所定のデータ通信を行う通信端末装置であって、電子メール通信サービスを行うセンターからのコールバックによる電子メール回収指示の通知を伴う呼び出しに応じて、前記センターへ自動的にコールバックし、電子メールを受信する通信端末装置の通信制御プログラムにおいて、
前記センターからコールバックによる電子メール回収指示の通知を伴う呼び出しがあったとき、前記センター以外への発信事象が待機状態にあった場合、前記センターへのコールバックの発信を優先して行うように制御する制御手順を含むことを特徴とする通信制御プログラム。
【請求項１０】
待機状態にある発信事象の情報の行列を記憶する記憶手段を用い、
前記センターからコールバックによる電子メール回収指示の通知を伴う呼び出しがあったとき、前記センターへのコールバックの発信事象の情報を生成して前記行列の先頭に挿入し、その後の発信処理において、前記行列の先頭の発信事象から発信を行うように制御する制御手順を含むことを特徴とする請求項９に記載の通信制御プログラム。
【請求項１１】
それぞれ待機状態にある発信事象の情報の行列であって優先度が異なる複数の行列を記憶する記憶手段を用い、
前記センターからコールバックによる電子メール回収指示の通知を伴う呼び出しがあったとき、前記センターへのコールバックの発信事象の情報を生成して前記複数の行列の内で最も優先度が高い行列に投入し、その後の発信処理において、前記最も優先度が高い行列の先頭の発信事象から発信を行なうように制御する制御手順を含むことを特徴とする請求項９に記載の通信制御プログラム。
【請求項１２】
待機状態にある前記センター以外への発信事象の情報の行列を記憶する第１の記憶手段と、
前記センターへの発信事象の情報を記憶する第２の記憶手段を用い、
前記センターからコールバックによる電子メール回収指示の通知を伴う呼び出しがあったとき、前記センターへのコールバックの発信事象の情報を生成して前記第２の記憶手段に格納し、その後の発信処理において、前記第２の記憶手段に前記センターへのコールバックの発信事象の情報が格納されていれば、該発信事象の発信を行なうように制御する制御手順を含むことを特徴とする請求項９に記載の通信制御プログラム。
【発明の詳細な説明】
【０００１】
【発明の属する技術分野】
本発明は、通信網を介して電子メール通信とそれ以外の所定のデータ通信を行う通信端末装置であって、電子メール通信サービスを行うセンターからのコールバックによる電子メール回収指示の通知を伴う呼び出しに応じて、前記センターへ自動的にコールバックし、電子メールを受信する通信端末装置、その通信制御方法、及びその通信制御プログラムに関するものである。
【０００２】
【従来の技術】
昨今、音声を伝える電話機能のみでなく電子メールも扱えるようにした携帯端末装置が爆発的に普及してきている。また、ファクシミリ装置などにおいても、プロバイダが提供するサービスを用いて、電子メールを扱えるようにしたシステムが例えば非特許文献１で提案されている。
【０００３】
この提案によるシステムでは、次のような手順によって、２つのメッセージ端末装置（以下、ＳＭ＿ＴＥと略す）の間でＰＳＴＮ（一般公衆回線網）ないしＩＳＤＮ（総合デジタル通信網）を介して、メールの送受信を行う。まず、送信側ＳＭ＿ＴＥは一旦メッセージサービスセンター（以下、ＳＭ＿ＳＣと略す）にメールを送って受信側ＳＭ＿ＴＥへの配信を依頼する。依頼を受けたＳＭ＿ＳＣは、受信側ＳＭ＿ＴＥに対し、メールが届いたこととメールの回収指示を通知するものとして、自らの電話番号と付加情報からなる発信者電話番号情報（Ｃａｌｌｅｒ　ＩＤ）を持った呼び出しを通信網のサービスを利用して行なう。受信側ＳＭ＿ＴＥは、発信者電話番号情報を持った呼び出しを受けたならば、その発信者電話番号情報に含まれるＳＭ＿ＳＣの電話番号と予め受信側ＳＭ＿ＴＥに登録されているＳＭ＿ＳＣの電話番号とを比較して、一致しているか否かを判断する。このとき、受信側ＳＭ＿ＴＥは、呼び出しに対して応答する必要はない。もし一致していて、かつ、前記付加情報がコールバックによるメールの回収を指示するものであるならば、受信側ＳＭ＿ＴＥは、登録されているＳＭ＿ＳＣの電話番号に対して前記付加情報を同様に付加してコールバックして、ＳＭ＿ＳＣから所望のメールを受信する。
【０００４】
なお、受信側ＳＭ＿ＴＥは、予め定められた時間の間にコールバックできない場合、先に通知されたメールの回収指示を破棄して、再度ＳＭ＿ＳＣから送られてくる回収指示の通知を待つ。これは、配信側ＳＭ＿ＳＣと受信側ＳＭ＿ＴＥとの間で、配信・回収の状態の不整合が起きることを防ぐためである。
【０００５】
【非特許文献１】
ＥＴＳＩ（ヨーロッパ電気通信標準協会）　ＥＳ　２０１　９１２
【０００６】
【発明が解決しようとする課題】
ここで、上記のシステムにおいて受信側ＳＭ＿ＴＥがファクシミリ通信の機能を持っていた場合を考える。ユーザによるファクシミリの送信要求は、先のメールの回収指示とは無関係に発生するものである。すなわち、受信側ＳＭ＿ＴＥがまさにファクシミリ送信を行おうとしているとき、メールの回収指示が送られてくる状況を想定することができる。むろん、この場合であっても、ＳＭ＿ＴＥはＳＭ＿ＳＣによるメールの回収指示を無視してファクシミリ送信を先に行うことが可能である。
【０００７】
しかしながら、メールの回収指示を無視してファクシミリ送信を先に行った場合、次のような問題がある。
【０００８】
この場合、ファクシミリ送信に要する時間は不定であるため、予め定められた時間の間にコールバックできない可能性が高い。すなわち、ＳＭ＿ＳＣからメールの回収指示を受けたにもかかわらず、その指示を破棄せざるを得ない。さらに、そのメールを受信するためには、改めてＳＭ＿ＳＣからリトライ（再試行）でメールの回収指示の通知が来るのを待たなければならない。そして上記のシステムで、ＳＭ＿ＳＣにおいてメールの回収指示の通知のリトライ回数の限度が規定されているとすると、ファクシミリ送信中にそのリトライ回数を越えてしまい、ＳＭ＿ＴＥから受信メールの受信要求ができない場合は、メールを受信することができなくなってしまう。
【０００９】
また、ＳＭ＿ＳＣ側から見ると、収容しているＳＭ＿ＴＥが多くなればなるほど、ＳＭ＿ＴＥが頻繁にコールバックのタイムアウトを起してしまうと、回収指示の通知のリトライに要するコストが膨れ上がってしまう。
【００１０】
本発明は、上記問題点に鑑みてなされたものであり、その課題は、通信網を介して電子メール通信とそれ以外の所定のデータ通信を行う通信端末装置であって、電子メール通信サービスを行うセンターからのコールバックによる電子メール回収指示の通知を伴う呼び出しに応じて、前記センターへ自動的にコールバックし、電子メールを受信する通信端末装置において、センターからの電子メール回収指示に対するコールバックのタイムアウトを極力避けることができ、確実に電子メールを受信できるようにすることにある。
【００１１】
【課題を解決するための手段】
上記の課題を解決するため、本発明によれば、
通信網を介して電子メール通信とそれ以外の所定のデータ通信を行う通信端末装置であって、電子メール通信サービスを行うセンターからのコールバックによる電子メール回収指示の通知を伴う呼び出しに応じて、前記センターへ自動的にコールバックし、電子メールを受信する通信端末装置において、
前記センターからコールバックによる電子メール回収指示の通知を伴う呼び出しがあったとき、前記センター以外への発信事象が待機状態にあった場合、前記センターへのコールバックの発信を優先して行うように制御する制御手段を有する構成を採用した。
【００１２】
また、この構成に対応する通信端末装置の通信制御方法及びその通信制御プログラムの構成を採用した。
【００１３】
【発明の実施の形態】
以下、図を参照して本発明の実施の形態を説明する。ここでは、通信端末装置として、先述した非特許文献１に記載されたプロトコルに従って、電子メール通信サービスを行なうＳＭ＿ＳＣ（メッセージサービスセンター）からのコールバックによるメール回収指示の通知を伴う呼び出しに応じてセンターへ自動コールバックして電子メールを受信する機能を有するＳＭ＿ＴＥ（メッセージ端末装置）であって、ファクシミリ通信機能も有する通信端末装置における実施形態を示す。
【００１４】
図１は、本発明の実施形態における通信端末装置の構成を示すブロック図である。
【００１５】
通信端末装置（以下、端末と略す）１００は、回線を介してＰＳＴＮ（一般公衆回線網）に接続されている。また、センター（ＳＭ＿ＳＣ）１２０はＩＳＤＮ（総合デジタル通信網）に接続されている。ＰＳＴＮとＩＳＤＮとは、通信事業者によって網間接続されているが、図１では便宜上２つの網をまとめてＰＳＴＮ／ＩＳＤＮと表現し、符号１１０を付してある。端末１００とセンター１２０は、ＰＳＴＮ／ＩＳＤＮ１１０を経由して、電子メールのやり取りを行うことができる。また、本実施形態のセンター１１０はインターネット１３０にも接続されており、インターネット１１０に接続された不図示の情報端末等と端末１００との間の電子メールのやり取りを仲介することもできる。なお、ＰＳＴＮ／ＩＳＤＮ１１０に接続され、端末１００が電子メール通信サービスを受けることができるＳＭ＿ＳＣはセンター１２０の１つに限らないことは勿論である。
【００１６】
端末１００は、バスＢで互いに接続された１０１から１０９までの以下のモジュールから構成される。
【００１７】
ＣＰＵ１０１は、ＲＯＭ１０２に格納されているファクシミリ通信やデータ通信の通信制御プログラム、表示や記録などの制御プログラム、及びフラッシュＲＡＭ１０３に格納されている各種ソフトパラメータに基づいて、ＤＲＡＭ１０４の一部をワークエリアに利用して、端末１００全体を制御する。フラッシュＲＡＭ１０３は、主電源がオフされても内容を保持し続けることができ、上記パラメータのほかに、電子メールの内容や着信メロディなどの各種データが格納されている。また、端末１００が電子メールサービスを受けるセンター１２０などのＳＭ＿ＳＣの電話番号などの情報も登録されている。ＤＲＡＭ１０４は、上記ワークエリアのほかに、ファクシミリ画像を格納するバッファ領域などとして使用される。
【００１８】
表示部１０５は、小型のカラー液晶ディスプレイや、高速描画を実現するためのアクセラレータ等から構成され、ＤＲＡＭ１０４に格納されているファクシミリ画像を表示するほかに、電子メールの内容の表示などを行う。また、音源デバイスなども具備し、着信メロディを再生することもできる。
【００１９】
読取部１０６は、カラーのコンタクトセンサ、オートドキュメントフィーダ、読み取った画像データの画像処理を行なうためのゲートアレイ等から構成され、カラーの原稿を走査してカラーの画像データを生成する。むろん、モノクロの画像データを生成することもできる。生成された画像データは、一旦ＤＲＡＭ１０４に格納されて通信部１０９を介してファクシミリ送信されたり、あるいは、記録部１０７に転送されて記録紙上のカラー画像として複製（印刷）されたりする。
【００２０】
記録部１０７は、インクジェット方式などのカラープリンタや、記録のための画像処理デバイス等から構成され、モノクロのみならずカラーのファクシミリ画像を記録紙に印刷したり、あるいは、電子メールの内容を印刷したりすることができる。
【００２１】
操作部１０８は、テンキー、カーソルキー、スタートキー、ストップキー等のほかに、端末１００の状態を示すいくつかのＬＥＤ等から構成される。ユーザは、テンキーを使って任意の相手に電話をかけたり、カーソルキーやスタートキーを使って各種メニューを選択したり、ファクシミリ送信などの動作を指示したりすることができる。
【００２２】
通信部１０９は、ファクシミリモデムおよびデータモデムや、端末１００をＰＳＴＮ／ＩＳＤＮ１１０に接続するためのリレーやトランスなどを具備した網制御ユニット（ＮＣＵ）等から構成され、操作部１０８を使って入力された番号に対して電話をかけたり、ファクシミリ通信やデータ通信、さらに、非特許文献１記載のＦＳＫモジュレーションに対応するように電気信号を変調・復調したりする。
【００２３】
次に、図２は、図１記載の端末１００におけるファクシミリ画像の通信およびメールの通信に関わるタスクの構成とデータの流れを示す説明図である。各タスクの処理プログラムは図１記載のＲＯＭ１０２に格納され、ＣＰＵ１０１により実行される。
【００２４】
なお、図２中で画像プール２１１は、ファクシミリ送信のために読み取られた原稿の画像データ、及びファクシミリ受信した画像データを格納するために用いられ、フラッシュＲＡＭ１０３上に用意される。
【００２５】
また、発信待ち行列２１２は、待機状態にある発信事象の情報の行列であり、ＤＲＡＭ１０４の所定記憶領域に記憶される。後述のように電子メール回収のためにセンター１２０などのＳＭ＿ＳＣへコールバックする発信事象の情報は発信待ち行列２１２の先頭に挿入されるが、それ以外のファクシミリ送信などの通常の発信事象の情報は、生成された順に順次、発信待ち行列２１２の最後尾に投入される。
【００２６】
図２において、タスク２０１〜２１０は、端末１００上に実装されているリアルタイムモニタによって管理・実行される。それぞれのタスクは、リアルタイムモニタのタスク間通信機能を利用して、メッセージのやりとりを行い、以下のように動作する。
【００２７】
操作制御タスク２０１は、図１記載の操作部１０８を監視し、ユーザによるファクシミリ送信予約の要求を受け付ける。ユーザによる送信予約の要求があったら、操作制御タスク２０１は読取制御タスク２０２に対して原稿の読み取りを要求するメッセージを送出する。
【００２８】
読取制御タスク２０２は、操作制御タスク２０１からの原稿読み取り要求メッセージを受けて、図１記載の読取部１０６を制御し、装置の原稿台にセットされた原稿の１枚を所定の読み取り位置まで搬送し、読み取りを開始する。そして、１本の走査線の読み取りが完了する毎に、読取用符号化処理タスク２０３に対して同走査線の画像データの符号化を要求するメッセージを送出する。
【００２９】
読取用符号化処理タスク２０３は、読取制御タスク２０２からの符号化要求メッセージを受けて、指示された走査線の画像データを符号化し、その結果を読取制御タスク２０２に対してメッセージとして返送する。
【００３０】
読取制御タスク２０２は、読取用符号化処理タスク２０３による符号化データを、順次図１記載のＤＲＡＭ１０４をバッファに使いながらフラッシュＲＡＭ１０３上に用意された画像プール２１１に格納する。そして、原稿台にセットされたすべての原稿の読み取りが終了したら、操作制御タスク２０１に対して読み取りの完了を通知する。
【００３１】
操作制御タスク２０１は、読取制御タスク２０２からの読み取り完了通知を受けて、ＤＲＡＭ１０４上に用意された発信待ち行列２１２に対して、画像プール２１１に格納した実際の符号化データとの対応情報や発信先（送信先）の電話番号などの情報を含んでいる発信事象の情報を行列の最後尾に投入する。なお、操作制御タスク２０１は、これ以前のユーザーの電話番号の入力などに応じて発信事象の情報を生成しておく。
【００３２】
回線制御タスク２０４は、発信待ち行列２１２を定期的に監視する。また、回線制御タスク２０４は、主に図１記載の通信部１０９に実装されているＮＣＵを制御して実際の発着信処理を行っている回線処理タスク２０６ともメッセージを交換し、ＰＳＴＮ／ＩＳＤＮ１１０の回線からの着信状況も定期的に監視する。
そして、発信待ち行列２１２に発信待ちの発信事象の情報があれば、発信待ち行列２１２の先頭の発信事象の情報を引き出し、回線処理タスク２０６とメッセージを交換しながら発信処理を行う。さらに引き続いて、発信事象に応じてＦＡＸ通信制御タスク２０５またはメール通信制御タスク２０９とメッセージを交換してＦＡＸ通信またはメール通信を開始させる。一方、回線からの着信が検出されたならば、着信の種類や端末設定に応じて、ＦＡＸ通信制御タスク２０５またはメール通信制御タスク２０９とメッセージを交換してＦＡＸ通信またはメール通信を開始させるか、あるいは、ＳＭ＿ＳＣへのコールバックの発信事象の情報を生成し、発信待ち行列２１２の先頭に投入する。その詳細は後述する。
【００３３】
ＦＡＸ通信処理タスク２０７は、ＦＡＸ通信制御タスク２０５の指示に基づいて、主に図１記載の通信部１０９に実装されているモデムを制御してＩＴＵ−ＴＴ．３０勧告のファクシミリ伝送のための手順を実行する。これと共に、ＦＡＸ通信処理タスク２０７は符号／復号化処理タスク２０８とメッセージの交換を行いながら、送信であればＦＡＸ通信制御タスク２０５から画像プール２１１に格納されている符号化された画像データを適宜受け取り、そのデータを相手端末の要求に応じて復号／符号化して伝送路に送出する。また、受信であれば伝送路から受信したデータを符号／復号化処理タスク２０８に復号／符号化させ、そのデータをＦＡＸ通信制御タスク２０５に渡して画像プール２１１に格納させる。
【００３４】
一方、メール通信制御タスク２０９は、電子メールの送受信のためにメール通信処理タスク２１０とメッセージを交換しながら、非特許文献１に記載されたプロトコルにしたがって、図１記載のセンター１２０などのＳＭ＿ＳＣとの間での電子メールのデータのやり取りを管理する。
【００３５】
メール通信処理タスク２１０は、メール通信制御タスク２０９の指示にしたがって、主に図１記載の通信部１０９に実装されたモデムを制御しながら、センター１２０との間で実際にメールデータのやり取りを行う。
【００３６】
次に、図３は、本実施形態の端末１００における着信処理の制御手順を示すフローチャートである。着信処理は、図２記載の回線制御タスク２０４で実行される複数の処理の中のひとつであり、回線制御タスク２０４の通信制御プログラムによる制御手順に従って以下のように行なわれる。
【００３７】
まず、ステップＳ３１において、図２記載の回線処理タスク２０６によるＰＳＴＮ／ＩＳＤＮ１１０の回線からの呼び出しケーデンスの監視結果を取得し、着信（呼び出し）があるか否かを判定する。もし着信があるならばステップＳ３２に進む。着信がなかったならば、直ちに着信処理を終了し、後述する図４の発信処理などの着信以外の処理を必要に応じて実行できるようにする。他に何もない状況であれば、一定時間経過した後で再度ステップＳ３１を繰り返すように動作する。
【００３８】
ステップＳ３２では、図２記載の回線処理タスク２０６によって有効な発信者電話番号情報（Ｃａｌｌｅｒ　ＩＤ）が検出されたか（その通知があったか）否かを判定し、検出されていたならばステップＳ３３に進み、そうでなければステップＳ３６に進む。
【００３９】
ステップＳ３３では、予め図１記載のフラッシュＲＡＭ１０３に格納されているＳＭ＿ＳＣの電話番号と、通知された発信者電話番号情報に含まれるＳＭ＿ＳＣの電話番号とを一致するか比較する。ここで、ＳＭ＿ＳＣから通知される発信者電話番号情報の構成を示す図を非特許文献１から抜粋して図５として示す。ここに示すように、発信者電話番号情報の内で下２桁の付加情報を除く部分がＳＭ＿ＳＣの電話番号のデータであるので、ステップＳ３３での比較は、通知された発信者電話番号情報の下２桁を除外して行われる。もし一致したならばステップＳ３４に進み、そうでなければステップＳ３６に進む。
【００４０】
ステップＳ３４では、ＳＭ＿ＳＣから通知された発信者電話番号情報に付加されている被呼装置サブアドレス（Ｃａｌｌｅｄ　ＳＭＥ　Ｓｕｂａｄｄｒｅｓｓ）および配信モード識別子（Ｄｅｌｉｖｅｒ　Ｍｏｄｅ　Ｉｄｅｎｔｉｆｉｅｒ）の情報（図５参照）を、ＳＭ＿ＳＣへの発信事象の情報の一部として保存して、ＳＭ＿ＳＣへのコールバックの発信事象の情報を生成し、ステップＳ３５に進む。
【００４１】
ステップＳ３５では、図２記載の発信待ち行列２１２に既に発信事象があるか否かにかかわらず、ステップＳ３４で生成したＳＭ＿ＳＣへの発信事象の情報を発信待ち行列２１２の先頭に挿入して、着信処理を終了する。その投入の一例を図６に示す。図６では、既に通信番号が０００１から０００３までのファクシミリに関わる３つの発信事象の情報Ｉ１〜Ｉ３が発信待ち行列２１２に投入されている状態で、通信番号が０００４であるＳＭ＿ＳＣへの発信事象の情報Ｉ４を発信待ち行列２１２の先頭に投入する様子を示している。それぞれの発信事象の情報は、左上に示すように、通信番号、発信目的、発信先電話番号などの情報からなるが、ＳＭ＿ＳＣへの発信事象の情報Ｉ４には、ＳＭ＿ＳＣから通知された被呼装置サブアドレスおよび配信モード識別子の情報を含む。ここでは、それぞれ「１」と「２」であるが、後者の「２」はコールバックでメールの配信を受けるモードであることを示す。すなわち、このデータを含む発信者電話番号情報の通知は、コールバックによる電子メール回収指示の通知である。この図３の処理では、フラッシュＲＡＭ１０３に電話番号を登録されたＳＭ＿ＳＣからの発信者電話番号情報は全て配信モード識別子が「２」であって、その通知はコールバックによる回収指示の通知である場合を想定している。
【００４２】
一方、ステップＳ３６では通常の着信処理を行なう。例えば、端末１００の着信設定がファクシミリ受信専用の設定になっているならば、回線を自動的に捕捉した後、上記のように図２記載のＦＡＸ通信制御タスク２０５にファクシミリ受信制御を依頼して着信処理を終了する。
【００４３】
次に、図４は、本実施形態の端末１００における着信処理の制御手順を示すフローチャートである。発信処理は、図２記載の回線制御タスク２０４で実行される複数の処理の中の一つであり、回線制御タスク２０４の通信制御プログラムによる制御手順に従って以下のように行なわれる。
【００４４】
まず、ステップＳ４１において、図２記載の発信待ち行列２１２に発信待ちの事象の情報があるか否か判定し、あればステップＳ４２に進むが、なかったら直ちに発信処理を終了し、例えば図３の着信処理などの発信以外の処理を実行できるようにする。他に何もない状況であれば、一定時間経過した後で再度ステップＳ４１を繰り返す。
【００４５】
ステップＳ４２では、発信待ち行列２１２の先頭にある発信事象の情報がＳＭ＿ＳＣ（例えばセンター１２０）への発信事象の情報であるか否かを判定する。
もしＳＭ＿ＳＣへの発信事象であるならばステップＳ４３に進み、そうでなければステップＳ４５に進む。
【００４６】
ステップＳ４３では、回線処理タスク２０６とメッセージを交換しながら、非特許文献１に記載されたプロトコルにしたがって、ＳＭ＿ＳＣの電話番号に図３のステップＳ３４で保存した被呼装置サブアドレスおよび配信モード識別子の情報を付加して、ＳＭ＿ＳＣに発信する。例えば、図６記載のＳＭ＿ＳＣへの発信事象（情報Ｉ４）の発信であれば、ＳＭ＿ＳＣの電話番号の０１０８００ｘｘｘｘ１１１１のあとに、被呼装置サブアドレスの１と、配信モード識別子の２を付加して発信する。発信が正常に終了したならばステップＳ４４に進む。
【００４７】
ステップＳ４４では、図２記載のメール通信制御タスク２０９にメールの回収処理を依頼して発信処理を終了する。依頼を受けたメール通信制御タスク２０９は、メール通信処理タスク２１０とメッセージを交換しながら、非特許文献１に記載されたプロトコルにしたがって、ＳＭ＿ＳＣ（例えばセンター１２０）と通信を行い所望のメールを回収する。
【００４８】
一方、ステップＳ４５では通常の発信処理を行ない、その後、ステップＳ４６で通常の通信を起動させて処理を終了する。例えば発信待ち行列２１２の先頭にある発信事象がファクシミリの発信事象の場合、ステップＳ４５でその発信事象の電話番号（ファクシミリ番号）の情報を用いて発信した後、ステップＳ４６でＦＡＸ通信制御タスク２０５にファクシミリ通信を依頼する。依頼を受けたＦＡＸ通信制御タスク２０５は、ＦＡＸ通信処理タスク２０７とメッセージを交換し、ＩＴＵ−Ｔ　Ｔ．３０勧告のファクシミリ伝送手順でファクシミリ通信を行なわせる。
【００４９】
以上のような本実施形態によれば、端末１００において、ＰＳＴＮ／ＩＳＤＮ１１０の回線からの着信時（呼び出し時）にＳＭ＿ＳＣからの発信者電話番号情報の通知、すなわち電子メールのコールバックによる回収指示の通知があった場合、メール回収のためのＳＭ＿ＳＣへのコールバックの発信事象の情報を生成して発信待ち行列２１２の先頭に挿入し、その発信事象の発信を直ちに行なう。すなわち、発信待ち行列２１２にファクシミリ送信などのＳＭ＿ＳＣ以外への発信事象の情報が存在したとしても、つまりＳＭ＿ＳＣ以外への発信事象が待機状態にあったとしても、ＳＭ＿ＳＣへのコールバックの発信を優先して行なう。従って、ＳＭ＿ＳＣ以外への発信事象が待機状態にあったとしても、ＳＭ＿ＳＣへのコールバックを短時間で行なうことができ、コールバックのタイムアウトを極力避けて電子メールの回収の受信を確実に行なうことができる。
【００５０】
また、端末１００に電子メールの配信サービスを提供するセンター１２０などのＳＭ＿ＳＣにとっては、端末からのコールバックのタイムアウトが減るため、回収指示の通知のリトライを行なうケースが減り、そのリトライに要するコストを抑えることができる。
【００５１】
［他の実施形態］
以上で説明した実施形態では、発信待ち行列２１２を１つだけ使用して、電子メール回収のためのＳＭ＿ＳＣへのコールバックの発信を優先して行えるように構成した。
【００５２】
これに対して、上記実施形態の構成において、優先度の異なる少なくとも２つ以上の複数の発信待ち行列を例えばＤＲＡＭ１０４上に用意し、図３の着信処理のステップＳ３５において、電子メール回収のためのＳＭ＿ＳＣへのコールバックの発信事象の情報を複数の発信待ち行列の内で最も優先度の高い発信待ち行列に投入する（この場合、行列の先頭でなくてもよい）ようにし、さらに図４の発信処理において、最も優先度の高い発信待ち行列の先頭の発信事象から順に発信処理を行うようにしても同様な効果が得られる。
【００５３】
また、ＳＭ＿ＳＣからのコールバックによるメール回収指示の呼び出しが多重に発生する可能性が低い点を鑑み、図３の着信処理のステップＳ３５において、ＳＭ＿ＳＣへのコールバックの発信事象の情報を、発信待ち行列２１２に投入せずに、ＤＲＡＭ１０４上で発信待ち行列２１２の記憶領域と別の特定の記憶領域に格納するようにし、さらに図４の発信処理において、前記特定の記憶領域にＳＭ＿ＳＣへのコールバックの発信事象の情報が保持されているならば、発信待ち行列２１２によらず、前記特定の記憶領域に保持した発信事象の情報により、ＳＭ＿ＳＣへの発信を優先して行うようにしてもよい。この場合、発信待ち行列を操作するよりも容易に目的を達成することができる。
【００５４】
【発明の効果】
以上の説明から明らかなように、本発明によれば、通信網を介して電子メール通信とそれ以外の所定のデータ通信を行う通信端末装置であって、電子メール通信サービスを行うセンターからのコールバックによる電子メール回収指示の通知を伴う呼び出しに応じて、センターへ自動的にコールバックし、電子メールを受信する通信端末装置において、センターからコールバックによる電子メール回収指示の通知を伴う呼び出しがあったとき、センター以外への発信事象が待機状態にあった場合、センターへのコールバックの発信を優先して行うようにしたので、センター以外への発信事象が待機状態にあったとしても、センターへのコールバックを短時間で行なうことができ、コールバックのタイムアウトを極力避けて電子メールの回収の受信を確実に行なうことができる。また、センターにとっては、回収指示の通知のリトライを行なうケースが減り、そのリトライに要するコストを抑えることができるという優れた効果が得られる。
【図面の簡単な説明】
【図１】本発明の実施形態における通信端末装置の構成を示すブロック図である。
【図２】同通信端末装置におけるファクシミリ画像の通信および電子メールの通信に関わるタスクの構成とデータの流れを示す説明図である。
【図３】同通信端末装置における着信処理の制御手順を示すフローチャート図である。
【図４】同通信端末装置における発信処理の制御手順を示すフローチャート図である。
【図５】ＳＭ＿ＳＣから通信端末装置に通知される発信者電話番号情報の構成を示す説明図である。
【図６】発信待ち行列の内容の一例とその先頭にＳＭ＿ＳＣへの発信事象の情報を投入する様子を示す説明図である。
【符号の説明】
１００　通信端末装置
１０１　ＣＰＵ
１０２　ＲＯＭ
１０３　フラッシュＲＡＭ
１０４　ＤＲＡＭ
１０５　表示部
１０６　読取部
１０７　記録部
１０８　操作部
１０９　通信部
１１０　ＰＳＴＮ／ＩＳＤＮ
１２０　センター（ＳＭ＿ＳＣ）
１３０　インターネット
２０４　回線制御タスク
２１２　発信待ち行列
【図１】
2004120446.tif 000003
【図２】
2004120446.tif 000004
【図３】
2004120446.tif 000005
【図４】
2004120446.tif 000006
【図５】
2004120446.tif 000007
【図６】
2004120446.tif 000008